(57)【要約】【課題】布帛の伸縮による印刷ズレを生じずに、高精細な印刷をすること。【解決手段】布帛が巻き付けられた供給ロールと、供給ロールから布帛を印刷部へ向けて案内するサポートロールと、印刷部を経た布帛を巻き取るために回転駆動される巻取ロールと、布帛の上方で印刷を施す印刷部の印刷ヘッドとを備え、印刷ヘッドによる１回の印刷動作毎に布帛を所定量ずつ送って間欠的に印刷を行う布帛用の印刷装置を前提とする、印刷方法である。そして、印刷部と巻取ロールとの間のフィードロールにより間欠的に布帛を所定量ずつ印刷部から牽引しつつ巻取ロール側へ送る送り動作と、サポートロールよりも上流側の送給ロールにより印刷部へ向けて間欠的に布帛を送給する送給動作とを含み、印刷部よりも上流側で検出された布帛の張力の検出値に基づく検出張力値と予め設定された目標張力値とを比較し、その比較結果に基づいて送出モータの駆動を制御する。【選択図】      図１
2014159131.tif 000002
【特許請求の範囲】
【請求項１】
印刷媒体としての長尺の布帛が巻き付けられた供給ロールと、前記供給ロールから送り出された前記布帛が巻き掛けられて前記布帛を印刷部へ向けて案内するサポートロールと、回転駆動されて前記印刷部を経た前記布帛を巻き取る巻取ロールと、前記印刷部に設けられた印刷ヘッドであって前記布帛の上方に位置するように設けられて前記布帛に対し印刷を施す印刷ヘッドとを備え、前記印刷ヘッドによる１回の印刷動作毎に前記布帛を所定量ずつ前記巻取ロール側へ送って前記布帛に対し間欠的に印刷を行う布帛用の印刷装置による印刷方法であって、
前記印刷動作に続いて行われる前記布帛の送り動作であって、前記布帛の経路中における前記印刷部と前記巻取ロールとの間で前記布帛に接触させて設けられたフィードロールを駆動モータによって間欠的に回転駆動することにより、前記布帛を所定量ずつ前記印刷部から牽引すると共に前記巻取ロール側へ送る送り動作と、
前記送り動作に伴って行われる前記布帛の送給動作であって、前記サポートロールよりも前記布帛の進行方向における上流側で前記布帛に接触する送給ロールを送出モータによって間欠的に回転駆動することにより、前記印刷部へ向けて前記布帛を送給する送給動作と
を含み、
前記印刷部よりも前記上流側で検出された前記布帛の張力の検出値に基づく検出張力値と予め設定された目標張力値とを比較し、その比較結果に基づいて前記送出モータの駆動を制御する
ことを特徴とする布帛の印刷方法。
【請求項２】
前記検出張力値と前記目標張力値との間に偏差が生じている場合、前記フィードロールによる前記布帛の送り動作に伴う前記送出モータの駆動時における駆動量を前記偏差に基づいて補正し、補正された駆動量に従って前記布帛の供給動作のための前記送出モータの駆動制御を実行する
ことを特徴とする請求項１記載の布帛の印刷方法。
【請求項３】
所定の検出周期毎に前記張力を検出し、その検出毎又は２以上の検出を含む所定の期間毎に前記検出張力値と前記目標張力値とを比較し、両者に偏差が生じている場合に、その偏差を解消する方向へ前記送出モータを駆動する駆動制御を実行する
ことを特徴とする請求項１又は２記載の布帛の印刷方法。
【請求項４】
前記送り動作時の少なくとも初期において、前記送給ロールを回転駆動する前記送出モータを駆動するために設定された加速度を、前記フィードロールを回転駆動する前記駆動モータを駆動するために設定された加速度よりも大きくする
ことを特徴とする請求項１、２又は３記載の布帛の印刷方法。
【請求項５】
前記送給動作のための前記送出モータの駆動の開始時期を、前記送り動作のための前記駆動モータの駆動の開始時期に先行させる
ことを特徴とする請求項１、２又は３記載の布帛の印刷方法。
【請求項６】
印刷媒体としての長尺の布帛が巻き付けられた供給ロールと、前記供給ロールから送り出された前記布帛が巻き掛けられて前記布帛を印刷部へ向けて案内するサポートロールと、回転駆動されて前記印刷部を経た前記布帛を巻き取る巻取ロールと、前記印刷部に設けられた印刷ヘッドであって前記布帛の上方に位置するように設けられて前記布帛に対し印刷を施す印刷ヘッドとを備え、前記印刷ヘッドによる１回の印刷動作毎に前記布帛を所定量ずつ前記巻取ロール側へ送って前記布帛に対し間欠的に印刷を行う布帛用の印刷装置において、
前記布帛の経路中における前記印刷部と前記巻取ロールとの間で前記布帛に接触させて設けられたフィードロールと、該フィードロールを回転駆動する駆動モータと、前記サポートロールよりも前記布帛の進行方向における上流側で前記布帛に接触する送給ロールと、該送給ロールを回転駆動する送出モータと、前記フィードロールが間欠的に回転駆動されて前記布帛を所定量ずつ前記印刷部から牽引すると共に前記巻取ロール側へ送る送り動作が実行されるように前記駆動モータの駆動を制御すると共に前記フィードロールによる前記布帛の送り動作に伴って前記送給ローラによる前記印刷部へ向けた間欠的な送給動作が実行されるように前記送出モータの駆動を制御する駆動制御装置と、前記印刷部よりも前記上流側で前記布帛の張力を検出する張力検出装置とを含み、
前記駆動制御装置は、前記布帛の目標張力値が設定される記憶器と、前記張力検出装置によって検出された張力の検出値に基づく検出張力値と前記設定器に設定された前記目標張力値とを比較して偏差信号を出力する比較器と、該比較器からの前記偏差信号が入力されると共に前記送出モータの駆動量に相当する駆動指令信号を出力する駆動指令器と、該駆動指令器からの駆動指令信号に従って前記送出モータの駆動を制御する送出制御器とを含む
ことを特徴とする布帛用の印刷装置。
【請求項７】
前記比較器は、前記検出張力値と前記目標張力値との偏差の大きさ及び偏差の方向を含む前記偏差信号を出力し、
前記駆動指令器は、前記偏差信号の出力に伴い、前記検出張力値と前記目標張力値との間に偏差が生じている場合に、前記送給動作のための前記送出モータの駆動時における駆動量を前記偏差に基づいて補正し、その補正された駆動量に応じた駆動指令信号を出力する
ことを特徴とする請求項６記載の布帛用の印刷装置。
【請求項８】
前記張力検出装置は、所定の検出周期毎に前記布帛の張力を検出し、
前記比較器は、前記張力検出装置による前記張力の検出毎又は２以上の検出を含む所定の期間毎に、前記検出張力値と前記目標張力値との比較及び前記偏差信号の出力を行い、
前記駆動指令器は、前記偏差信号が前記検出張力値と前記目標張力値との間に偏差が生じていることを示すものである場合、その偏差を解消する駆動量に相当する駆動指令信号を出力する
ことを特徴とする請求項６又は７記載の布帛用の印刷装置。
【請求項９】
前記記憶器には、前記送給ロールを回転駆動する前記送出モータ及び前記フィードロールを回転駆動する駆動モータを駆動するための加速度が設定されており、
前記加速度は、前記送り動作時の少なくとも初期において、前記送出モータを駆動するための加速度が前記駆動モータを駆動するための加速度よりも大きい値に設定されている
ことを特徴とする請求項６、７又は８記載の布帛用の印刷装置。
【請求項１０】
前記記憶器には、前記送給動作のための前記送出モータの駆動の開始時期及び前記送り動作のための前記駆動モータの駆動の開始時期を規定する設定値が設定されており、
前記設定値は、前記送出モータの駆動開始時期が前記駆動モータの駆動開始時期に先行するように設定されている
ことを特徴とする請求項６、７又は８記載の布帛用の印刷装置。
【発明の詳細な説明】
【技術分野】
【０００１】
本発明の布帛の印刷方法、及び布帛用の印刷装置は、印刷媒体としての長尺の布帛が巻き付けられた供給ロールと、前記供給ロールから送り出された前記布帛が巻き掛けられて前記布帛を印刷部へ向けて案内するサポートロールと、回転駆動されて前記印刷部を経た前記布帛を巻き取る巻取ロールと、前記印刷部に設けられた案内ヘッドであって前記布帛の上方に位置するように設けられて前記布帛に対し印刷を施す印刷ヘッドとを備え、前記印刷ヘッドによる１回の印刷動作毎に前記布帛を所定量ずつ前記巻取ロール側へ送って前記布帛に対し間欠的に印刷を行う布帛用の印刷装置を、前提装置とするものに関する。
【背景技術】
【０００２】
供給ロールから送り出された長尺の印刷媒体に対し間欠的に印刷を行う印刷装置として、発明の名称を「印刷方法および印刷装置」と称する特許文献１に開示されたものがある。この特許文献１に開示された印刷装置は、印刷媒体を挟んで印刷ヘッドの走行位置と対向する位置に印刷媒体を支持する平板状の支持台（プラテン）を備え、プラテンによって支持された印刷媒体に対し、印刷ヘッドによって印刷を行うものとなっている。また、この印刷装置は、印刷媒体の送り方向における前記プラテンの上流側に一対の搬送ローラを備え、この一対の搬送ローラによって印刷媒体を挟みながらプラテン側へ送り出す構成となっている。
【０００３】
しかし、前記特許文献１の印刷装置では、印刷媒体は、プラテン上で支持されて搬送されるため、プラテンとの摺接に伴う疵等が印刷媒体に付いてしまう。また、印刷媒体が布帛の場合、プラテン上での印刷により、印刷に滲みが発生してしまう場合がある。
【０００４】
このような問題を解消するものとして、供給ロールから送り出される長尺の印刷媒体を前記のような平板状のプラテンによって支持することなく、印刷媒体に対し印刷を行う従来技術として発明の名称を「給送装置および流体流噴射装置」と称する特許文献２に開示されたものがある。
【０００５】
この特許文献２に開示された給送装置では、供給ロール（供給ローラ２１０）から送り出された長尺の印刷媒体（被染物等の被記録媒体４４１）が、サポートロールとしてのプラテンローラ２３０に巻き掛けられて案内され、印刷部へ向けて送給される。このサポートロールとしてのプラテンローラ２３０と、このプラテンローラ２３０に対して印刷媒体の送り方向の下流側に設けられたガイドロールとしてのプラテンローラ２３１との間の印刷部には、印刷媒体の経路の上方に印刷ヘッドとしての記録ヘッド２４１が設けられ、その記録ヘッド２４１によって印刷部において印刷媒体に対する印刷が行われる。
【０００６】
そして、印刷部を経た印刷媒体は、下流側のプラテンローラ２３１に巻き掛けられて巻取ローラ２２０へ向けて案内され、巻取ローラ２２０によって巻き取られる。（なお、以上の特許文献２の説明において記載された参照符号は、特許文献２の図面において付されているもの。）
【先行技術文献】
【特許文献】
【０００７】
【特許文献１】特開２０１０−０５２３７９号公報
【特許文献２】特開２００９−０９０５７８号公報
【発明の概要】
【発明が解決しようとする課題】
【０００８】
前記した特許文献２に開示された印刷装置は、印刷媒体の進行方向に対応する方向へ積極的に回転駆動されるロールが巻取ロールのみであり、印刷媒体の移動量が一定となるように巻取ロールを回転駆動すると共に、巻取ロールが回転駆動することに伴って印刷媒体が引き出される送出ロールに所定の回転抵抗を付与することで、印刷媒体の張力を一定に保とうとするものである。
【０００９】
因みに、特許文献２の印刷装置は印刷媒体として主に紙を対象とするものであるが、このような特許文献２の印刷装置を用い、印刷媒体としての布帛に対し間欠的に印刷を行う場合、前記の巻取ロールを間欠的に回転駆動し、その巻取ロールの回転駆動に伴い、印刷部よりも下流側において布帛が所定量ずつ間欠的に引き出されることになる。
【００１０】
しかし、印刷媒体が布帛の場合、布帛自体は伸縮性を有するため、布帛の伸縮によって印刷部における布帛自体の送り量が一定とならず、印刷ズレが発生することになる。従って、前記特許文献２の印刷装置は、布帛を印刷媒体の対象とした場合、高精細な印刷を行うことができないものである。
【００１１】
本発明の目的は、前記で前提装置として記載した布帛用の印刷装置において、印刷ズレを生じることなく、高精細な印刷を行えるようにすることである。
【課題を解決するための手段】
【００１２】
本発明は、印刷媒体としての長尺の布帛が巻き付けられた供給ロールと、前記供給ロールから送り出された前記布帛が巻き掛けられて前記布帛を印刷部へ向けて案内するサポートロールと、回転駆動されて前記印刷部を経た前記布帛を巻き取る巻取ロールと、前記印刷部に設けられた印刷ヘッドであって前記布帛の上方に位置するように設けられて前記布帛に対し印刷を施す印刷ヘッドとを備え、前記印刷ヘッドによる１回の印刷動作毎に前記布帛を所定量ずつ前記巻取ロール側へ送って前記布帛に対し間欠的に印刷を行う布帛用の印刷装置を前提とする。
【００１３】
そして、本発明のうちの布帛の印刷方法は、前記印刷動作に続いて行われる前記布帛の送り動作と、前記送り動作に伴って行われる前記布帛の送給動作とを含む。前記布帛の送り動作は、前記布帛の経路中における前記印刷部と前記巻取ロールとの間で前記布帛に接触させて設けられたフィードロールを駆動モータによって間欠的に回転駆動することにより、前記布帛を所定量ずつ前記印刷部から牽引すると共に前記巻取ロール側へ送るものである。また、前記布帛の送給動作は、前記サポートロールよりも前記布帛の進行方向における上流側で前記布帛に接触する送給ロールを送出モータによって間欠的に回転駆動することにより、前記印刷部へ向けて前記布帛を送給するものである。その上で、本発明の布帛の印刷方法は、前記印刷部よりも前記上流側で検出された前記布帛の張力の検出値に基づく検出張力値と予め設定された目標張力値とを比較し、その比較結果に基づいて前記送出モータの駆動を制御するものである。
【００１４】
また、前記印刷方法に対応する本発明の布帛用の印刷装置は、前記布帛の経路中における前記印刷部と前記巻取ロールとの間で前記布帛に接触させて設けられたフィードロールと、該フィードロールを回転駆動する駆動モータと、前記サポートロールよりも前記布帛の進行方向における上流側で前記布帛に接触する送給ロールと、該送給ロールを回転駆動する送出モータと、駆動制御装置と、前記印刷部よりも前記上流側で前記布帛の張力を検出する張力検出装置とを含む。前記駆動制御装置は、前記フィードロールが間欠的に回転駆動されて前記布帛を所定量ずつ前記印刷部から牽引すると共に前記巻取ロール側へ送る送り動作が実行されるように前記駆動モータの駆動を制御すると共に、前記フィードロールによる前記布帛の送り動作に伴って前記送給ローラによる前記印刷部へ向けた間欠的な送給動作が実行されるように前記送出モータの駆動を制御するものである。また、前記駆動制御装置は、前記布帛の目標張力値が設定される記憶器と、前記張力検出装置によって検出された張力の検出値に基づく検出張力値と前記設定器に設定された前記目標張力値とを比較して偏差信号を出力する比較器と、該比較器からの前記偏差信号が入力されると共に前記送出モータの駆動量に相当する駆動指令信号を出力する駆動指令器と、該駆動指令器からの駆動指令信号に従って前記送出モータの駆動を制御する送出制御器とを含むものである。
【００１５】
なお、前記における「送給ロール」は、後述の実施例のような供給ロールの下流側に設けられた供給ロールとは別のロール（送りロール）であってもよいし、供給ロール自身であってもよい。また、本出願における「上流側」、「下流側」は、布帛の進行方向に関するものであって、送出側（供給ロール側）を上流側、巻取側（巻取ロール側）を下流側とするものである。さらに、前記における「張力検出装置」は、ロードセル等の張力検出センサ単体を指すものではなく、布帛に接触して（例えば布帛が巻き掛けられて）布帛の張力に応じた負荷を受ける部材（ガイドロール等）と、その部材に接続されて前記負荷を検出する張力検出器（ロードセル等）を含む。また、「検出張力値」は、張力検出装置による張力の検出値そのものであってもよいし、複数の検出値から求められる平均値（平均張力値）であってもよい。
【００１６】
前記した本発明による布帛の印刷方法において、前記検出張力値と前記目標張力値との間に偏差が生じている場合に、前記フィードロールによる前記布帛の送り動作に伴う前記送出モータの駆動時における駆動量を前記偏差に基づいて補正し、補正された駆動量に従って前記布帛の供給動作のための前記送出モータの駆動制御を実行するものとしてもよい。また、それを実現するための布帛用の印刷装置として、前記比較器が、前記検出張力値と前記目標張力値との偏差の大きさ及び偏差の方向を含む前記偏差信号を出力し、前記駆動指令器が、前記偏差信号の出力に伴い、前記検出張力値と前記目標張力値との間に偏差が生じている場合に、前記送給動作のための前記送出モータの駆動時における駆動量を前記偏差に基づいて補正し、その補正された駆動量に応じた駆動指令信号を出力するものとしてもよい。
【００１７】
また、前記した本発明による布帛用の印刷方法においては、所定の検出周期毎に前記張力を検出し、その検出毎又は２以上の検出を含む所定の期間毎に前記検出張力値と前記目標張力値とを比較し、両者に偏差が生じている場合に、その偏差を解消する方向へ前記送出モータを駆動する駆動制御を実行するものとしてもよい。また、それを実現するための布帛用の印刷装置として、前記張力検出装置が、所定の検出周期毎に前記布帛の張力を検出し、前記比較器が、前記張力検出装置による前記張力の検出毎又は２以上の検出を含む所定の期間毎に、前記検出張力値と前記目標張力値との比較及び前記偏差信号の出力を行い、前記駆動指令器が、前記偏差信号が前記検出張力値と前記目標張力値との間に偏差が生じていることを示すものである場合、その偏差を解消する駆動量に相当する駆動指令信号を出力するものとしてもよい。
【００１８】
さらに、前記した本発明による布帛の印刷方法において、前記送り動作時の少なくとも初期において、前記送給ロールを回転駆動する前記送出モータを駆動するために設定された加速度を、前記フィードロールを回転駆動する前記駆動モータを駆動するために設定された加速度よりも大きくするものとしてもよい。また、それを実現するための布帛用の印刷装置として、前記記憶器には、前記送給ロールを回転駆動する前記送出モータ及び前記フィードロールを回転駆動する駆動モータを駆動するための加速度が設定されているものとしても良い。その上で、前記加速度は、前記送り動作時の少なくとも初期において、前記送出モータを駆動するための加速度が前記駆動モータを駆動するための加速度よりも大きい値に設定されているものとする。
【００１９】
また、前記した本発明による布帛の印刷方法において、前記送給動作のための前記送出モータの駆動の開始時期を、前記送り動作のための前記フィードロールの駆動の開始時期に先行させるものとしてもよく、それを実現するための布帛用の印刷装置として、前記記憶器には、前記送給動作のための前記送出モータの駆動の開始時期及び前記送り動作のための前記駆動モータの駆動の開始時期を規定する設定値が設定されており、前記設定値は、前記送出モータの駆動開始時期が前記駆動モータの駆動開始時期に先行するように設定されているものとしてもよい。
【発明の効果】
【００２０】
本発明の布帛の印刷方法、及び印刷装置は、印刷部よりも下流側に印刷媒体である布帛に接触して設けられると共に駆動モータによって回転駆動されるフィードロールを設け、このフィードロールの回転量を制御することにより、フィードロールによって牽引されて印刷部における布帛の送り動作が行われるものである。そして、この布帛の送り動作に合せ、印刷部（サポートロール）よりも上流側においても、布帛に接触して設けられる送給ロールが送出モータによって回転駆動され、それによって布帛が積極的に送給されるため、印刷部よりも下流側でのフィードロールによる牽引に伴う印刷部における布帛の張力変動が抑制される。
【００２１】
しかも、本発明によれば、印刷部よりも上流側（印刷部と送給ロールとの間）において検出された布帛の張力の検出値と予め設定された目標張力値とに基づき、送給ロール用の送出モータの駆動が制御されるため、前記張力変動の抑制がより効果的に行われる。従って、本発明によれば、印刷媒体が布帛のように伸縮性を有するものであっても、張力変動に起因する布帛の伸縮を抑えることができ、布帛の伸縮が原因で生じる印刷ズレを防止し、高精細な印刷を行うことができる。
【００２２】
また、前記送り動作は間欠的に行われるものであるため、印刷部よりも下流側でのフィードロールによる布帛の牽引に伴って送出側で布帛を積極的に送給しても、印刷部と送給ロールとの間で布帛を案内するサポートロール等との間の摩擦抵抗等により、送給ロールによる布帛の積極的な送給が直ぐに印刷部に波及せず、印刷部における布帛の張力が送り動作の初期において一時的に大きく変動（上昇）する場合がある。そこで、前記送り動作の少なくとも初期において、送給ロールを回転駆動する送出モータを駆動するために設定された加速度を、フィードロールを回転駆動する駆動モータを駆動するために設定された加速度よりも大きくする、あるいは、送り動作時において、送給動作のための送出モータの駆動の開始時期を、送り動作のためのフィードロールの駆動の開始時期に先行させることにより、前記のような送り動作初期時における大きな張力変動を抑制することができる。
【図面の簡単な説明】
【００２３】
【図１】本発明の布帛用の印刷装置の一実施例を具体化した一例を示す全体図である。
【図２】（ａ）、（ｂ）図は、サポートロールの一方の端部側における支持構造を示す側面図、正面図である。
【図３】（ａ）、（ｂ）図は、サポートロールの他方の端部側における支持構造を示す側面図、正面図である。
【図４】本発明の布帛用の印刷装置の一実施例を具体化した一例における制御ブロック図である。
【図５】本発明の布帛用の印刷装置の一実施例を具体化した一例における詳細な制御ブロック図である。
【図６】速度パターン発生器が作成した速度パターンの一例に対する、印刷ヘッド、印刷動作制御器、及び布帛送り制御部の各動作を示すタイムチャートである。
【図７】（ａ）、（ｂ）図は、順に、速度パターン発生器が作成した速度パターンの一例を示すグラフ、その速度パターンの一例に基づく布帛の移動量を示すグラフである。
【図８】駆動指令器による補正後の速度パターンを基本速度パターンと比較して示すグラフである。
【図９】本発明の布帛用の印刷装置の一実施例における変形例を示す全体図である。
【発明を実施するための形態】
【００２４】
図１〜図８は本発明による布帛用の印刷装置の一実施例（以下、「本実施例」と言う。）を具体化した一例（以下、「図示の例」と言う。）を示している。このうち、図１は、図示の例の全体を示している。この図１に基づいて本実施例を説明する。因みに、本実施例においては以下１）〜５）を前提事項とする。
【００２５】
１）供給ロール１の布帛ＣＬを印刷部８に対して送って供給する部分、即ち送給部分は、供給ロール１から引き出された布帛ＣＬが巻き掛けられる送りロール３を送出モータ（サーボモータ）で回転駆動することにより、供給ロール１から布帛ＣＬが間欠的に引き出されるものとする。すなわち、本発明における「送給ロール」は、本実施例では、前記送りロール３となる。
２）送出モータＭ１の駆動制御は、印刷部８を通過した布帛ＣＬが巻き掛けられるフィードロール５による布帛ＣＬの送り動作（以下、単に「送り動作」とも言う。）に伴う送給動作のための送出モータＭ１の駆動量（回転量）を、布帛ＣＬの検出張力値に基づいて補正するものとする。
３）送出モータＭ１の駆動（送給動作）は、送り動作の開始（フィードロール５の回転駆動開始）と同時に開始されるものとする。また、送給動作のための送出モータＭ１の駆動時における加速度は、送り動作のためのフィードロール５の駆動時における加速度よりも大きく設定されているものとする。
４）布帛ＣＬの張力検出は、送りロール３から送り出された布帛ＣＬが巻き掛けられ、布帛ＣＬを印刷部８へ向けて転向させるサポートロール４を介して行うものとする。
５）なお、以下の説明では、水平方向における印刷方向と直交する方向（図１の左右方向）を前後方向とし、例えば印刷部８に対しフィードロール５側を前、サポートロール４側を後とする。
【００２６】
本実施例における布帛用の印刷装置は、長尺の布帛ＣＬが巻き付けられた供給ロール１と、印刷部８へ向けて布帛ＣＬを送給するための送給ロールとしての送りロール３と、送りロール３から送り出された布帛ＣＬを印刷部８へ向けて転向させるサポートロール４と、印刷部８において１回の印刷動作毎に布帛ＣＬを所定量ずつ移動させるためのフィードロール５と、フィードロール５によって送られた印刷済みの布帛ＣＬが巻き取られる巻取ロール７とを含む。
【００２７】
そして、供給ロール１から引き出された布帛ＣＬは、送りロール３に巻き掛けられた後、サポートロール４に巻き掛けられて印刷部８へ向けて転向される。印刷部８を通過した布帛ＣＬは、フィードロール５に巻き掛けられ、巻取ロール７側へ導かれる。
【００２８】
また、図示の例では、供給ロール１と送りロール３との間の布帛ＣＬの経路中に送出側ガイドロール２が設けられており、供給ロール１から引き出された布帛ＣＬは、この送出側ガイドロール２を経由して送りロール３へ導かれる。更に、フィードロール５と巻取ロール７との間の布帛ＣＬの経路中にも巻取側ガイドロール６が設けられており、フィードロール５によって送られた布帛ＣＬは、この巻取側ガイドロール６を経由して送りロール３へ導かれる。なお、これらのガイドロール２、６は、供給ロール１及び巻取ロール７の巻径が変化しても送りロール３及びフィードロール５に対する布帛ＣＬの巻付け角が変化しないようにする、言い換えると、供給ロール１及び巻取ロール７の巻径変化に関係無く送りロール３及びフィードロール５に対する布帛ＣＬの巻付け角を一定にするためのものである。
【００２９】
印刷装置は、前記の各ロール１〜７の軸線方向に離間して配置された一対の支持フレーム（図示略）を有している。そして、前記の各ロール１〜７は、その両端部において前記支持フレームに回転可能に支持されており、その軸線が他のロールの軸線と平行を成す（水平方向に延在する）ように設けられている。また、サポートロール４とフィードロール５とは、その上端の高さ位置が同じとなるように設けられている。従って、サポートロール４とフィードロール５との間に亘る布帛ＣＬは、水平状態でサポートロール４とフィードロール５に案内されている。
【００３０】
サポートロール４とフィードロール５との間の印刷部８には、印刷ヘッド８ａが設けられている。この印刷ヘッド８ａは、公知のインクジェット式のものであって、この印刷ヘッド８ａが布帛ＣＬの幅方向に亘って走行することで、印刷部８における布帛ＣＬに対し所定の範囲に亘って印刷が施される。
【００３１】
因みに、印刷ヘッド８ａには、使用される各色のインクに応じたノズル（図示略）が設けられている。各色のインクカートリッジ（図示略）からインクが各ノズルに供給され、各ノズルからインク噴射装置（図示略）の作動によってインクを噴射可能となっている。
【００３２】
このような本実施例では、前記の供給ロール１と送出側ガイドロール２と送りロール３とによって布帛ＣＬの送供部分が構成されている。以下、これらロール１〜３について順に詳述する。
【００３３】
供給ロール１は、中空円筒状の巻芯１ａに長尺の布帛ＣＬを巻き付けて構成されている。また、供給ロール１は、上下方向に関し印刷部８よりも下方において、前記巻芯１ａに挿通される送出軸１１を介して支持フレームに支持されている。より詳しくは、巻芯１ａと送出軸１１とは、送出軸１１が巻芯１ａに挿通され、送出軸１１に対し着脱可能なテーパブッシュ等により、同芯状態で相対回転不能に連結される。従って、巻芯１ａ（供給ロール１）は、送出軸１１に対し着脱可能となっている。また、送出軸１１は、その軸線方向の寸法が巻芯１ａよりも長くなっており、前記連結状態において巻芯１ａの両端部よりも突出している。そして、送出軸１１は、その両端の突出部分の端部（以下、支持部分とも言う。）において、軸受等を介し、支持フレームに対し回転可能に支持され、一対の支持フレーム間に架設される。この構成により、供給ロール１は、一対の支持フレーム間において、送出軸１１を介して回転可能に支持された状態となる。
【００３４】
なお、本実施例では、送出軸１１の支持部分において、送出軸１１に対し回転抵抗を付与する制動機構（図示略）が設けられているものとする。この制動機構は、例えば、送出軸１１と接触して送出軸１１に対し摩擦抵抗を付与する制動部材と、この制動部材を送出軸１１に押接させる付勢部材（バネ部材等）と、その付勢部材によって制動部材が送出軸１１に作用させる押接力を調整（付勢手段がバネ部材の場合は、バネ部材の伸縮量を調整）する調整部材とを含む。従って、送出軸１１には制動部材の押接による摩擦抵抗（回転抵抗）が作用し、それにより、供給ロール１の自由回転が阻止され、供給ロール１から引き出される布帛ＣＬに対し引き出し抵抗が付与される。
【００３５】
送出側ガイドロール２は、供給ロール１から引き出された布帛ＣＬが巻き掛けられ、送りロール３へ向けて布帛ＣＬを案内するものであって、その両端部に形成された軸部２ａ、２ａ（片側のみ図示する。）において、一対の支持フレームに対し軸受等を介して回転可能に支持されている。前記したように、送出側ガイドロール２は、送りロール３に向う布帛ＣＬが所定の位置で案内されて送りロール３に対する布帛ＣＬの巻掛け角を常に一定とするためのものであり、図示の例では、送出側ガイドロール２は、その軸心が供給ロール１の巻芯１ａ及び送りロール３の上方に位置するように設けられている。また、図示の例では、送りロール３に対する布帛ＣＬの巻掛け角を大きくするために、送出側ガイドロール２は、前後方向に関し、その軸心が送りロール３の供給ロール１側端部（送りロール３の半径方向外側部分における供給ロール１側の端部）よりも中心側（前後方向に関し印刷ヘッド８ａ側）に位置するように設けられている。
【００３６】
送りロール３は、上下方向に関し、印刷部８よりも下方であって送出側ガイドロール２よりも下方において、その両端部に形成された軸部３ａ、３ａ（片側のみ図示する。）により、一対の支持フレームに対し軸受等を介して回転可能に支持されている。また、送りロール３における両端の軸部３ａ、３ａのうちの一方には、ギア列等を含む駆動伝達機構３ｂを介し、サーボモータである送出モータＭ１が連結されている。
【００３７】
また、送りロール３の外周面には（図示の例では外周面の全周には）、巻き掛けられる布帛ＣＬの滑りを防止するためのシート状の滑り止め部材３ｃが貼着されている。従って、送出モータＭ１によって送りロール３が回転駆動されることに伴い、布帛ＣＬが送りロール３の外周面上で滑ることなく、送りロール３の回転量に相当する分だけ送給される。なお、送出モータＭ１の駆動制御については後述する。このように、本実施例では、送りロール３は、一対のロールによって布帛ＣＬを狭持することなく、送給部分から布帛ＣＬを送り出す構成となっている。
【００３８】
前記構成の送給部分から送り出された布帛ＣＬは、前記のように、送りロール３の上方に設けられたサポートロール４に巻き掛けられて転向され、印刷部８へ導かれる。また、印刷部８を経た布帛ＣＬは、フィードロール５に巻き掛けられ、巻取ロール７側へ導かれる。すなわち、布帛ＣＬは、印刷部８の前後において、サポートロール４及びフィードロール５に支持されている。また、前記のように、サポートロール４とフィードロール５とは、その上端の高さ位置が一致するように設けられており、従って、印刷部８の周辺においては、布帛ＣＬは水平状態で案内されている。
【００３９】
フィードロール５は、前記のように、上下方向に関し、上端位置をサポートロール４に一致させた状態で、その両端部に形成された軸部５ａ、５ａ（片側のみ図示する。）により、一対の支持フレームに対し軸受等を介して回転可能に支持されている。また、フィードロール５における両端の軸部５ａ、５ａのうちの一方には、ギア列等を含む駆動伝達機構５ｂを介し、サーボモータである駆動モータＭ３が連結されている。
【００４０】
また、フィードロール５の外周面（図示の例では外周面の全周）にも、前記送りロール３と同様に、布帛ＣＬの滑りを防止するためのシート状の滑り止め部材５ｃが貼着されている。従って、前記の駆動モータＭ３によってフィードロール５が回転駆動されることに伴い、布帛ＣＬがフィードロール５の外周面上で滑ることなく、駆動モータＭ３の回転量に相当する分だけ送られる。なお、駆動モータＭ３の制御については後述する。このように、本実施例では、フィードロール５は、一対のロールによって挟持することなく、印刷済みの布帛ＣＬを巻取部分へ向けて送る構成となっている。
【００４１】
本実施例の構成におけるフィードロール５及び送りロール３の役割について、印刷部８における布帛ＣＬの送り動作は、専らフィードロール５の回転によって達成されるものであり、送りロール３の役割は、フィードロール５の回転に伴う布帛ＣＬの送り動作に応じて供給ロール１から布帛ＣＬを積極的に引き出す（印刷部８へ布帛ＣＬを積極的に送給する）ために動作することである。すなわち、印刷部８における布帛ＣＬの送り動作は、前記の従来技術（特許文献２）のように送出部分に駆動手段を備えずに送出側からの布帛ＣＬの送給が消極的に行われるものであっても、フィードロール５のみの積極的な回転駆動によっても実現可能である。従って、布帛ＣＬの送り動作については、専らフィードロール５が分担している（専らフィードロール５の役割）と言える。但し、本発明は、布帛ＣＬの伸縮を考慮して印刷部８における布帛ＣＬの移動量を制御（コントロール）すべく、印刷部８へ向けて布帛ＣＬを送給するロール（送りロール３）を積極的に回転駆動するものである。
【００４２】
前記のように、本実施例では、布帛ＣＬの張力は、印刷部８の直近の上流側で布帛ＣＬが巻き掛けられるサポートロール４を介して検出される。従って、本実施例では、サポートロール４は、布帛ＣＬを印刷部８へ向けて水平に案内する機能に加え、張力検出装置の一部としても機能する。このサポートロール４の両端部を支持する構成が図２、図３に示されている。
【００４３】
本実施例では、サポートロール４は、その両端部の軸部４ａ、４ａに嵌装されたベアリング４ｂ、４ｂを介し、一対の支持フレーム９、９よって支持されている。すなわち、サポートロール４における両端部の各軸部４ａの外周面には、ベアリング４ｂが嵌装されており、各ベアリング４ｂが支持フレーム９の上面に載置されるかたちで、サポートロール４が一対の支持フレーム９、９に支持されている。なお、本実施例では、サポートロール４の両端部のうちの一方に、布帛ＣＬの張力に応じた荷重を検出するための荷重検出器（ロードセル）３１が接続されており、その一方の端部側において布帛ＣＬの張力を検出する構成になっている。これらの構成について、より詳しくは以下の通りである。
【００４４】
図２に示すように、前記一方の端部側における支持フレーム９は、サポートロール４に対応した位置に形成されて上方へ向けて突出する第１の突出部９ａを有している。そして、サポートロール４の前記一方の端部は、その軸部４ａに嵌装されたベアリング（以下、「一方のベアリング」と言う。）４ｂがこの第１の突出部９ａに載置された状態で支持されている。なお、この第１の突出部９ａの上面は、水平に形成されると共に、前後方向に関し一方のベアリング４ｂの直径と同程度の長さ寸法を有している。従って、サポートロール４は、前記一方の端部においては、水平方向に変位可能に支持されている。
【００４５】
また、第１の突出部９ａの上面は、幅方向に関し、一方のベアリング４ｂが載置される部分よりも外側（サポートロール４から軸線方向に離間する側）の部分が上方に突出する段部９ａ１を有している。そして、この段部９ａ１は、一方のベアリング（サポートロール４の前記一端部）４ｂの前記外側へ向けた変位を規制するものとなっている。更に、図示の例では、一方のベアリング４ｂ（サポートロール４）の上下方向の変位を規制するものとして第１の規制部材２１が設けられている。
【００４６】
この第１の規制部材２１は、幅方向に関し支持フレーム９とほぼ同じ幅寸法を有し、上下方向に延在する支持部２１ａと、支持部２１ａの下端から後方へ向けて延びる固定部２１ｂと、支持部２１ａの上端から前方へ向けて延びる規制部２１ｃとを一体形成して構成されている。そして、第１の規制部材２１は、固定部２１ｂにおいて支持フレーム９の上面に対し固定された状態で、規制部２１ｃの下面が一方のベアリング４ｂの上端に当接するように構成されている。なお、第１の規制部材２１は、前記固定状態において支持部２１ａが支持フレーム９における第１の突出部９ａの後側の端面に当接すると共に、一方のベアリング４ｂがロードセル３１に接続された状態で、支持部２１ａの前側の端面とベアリング４ｂとの間に間隙２１ｄが存在するように設けられている。
【００４７】
一方、図３に示すように、前記他方の端部側の支持フレーム９は、サポートロール４の配置に対応した位置に形成されてベアリング４ｂを受け入れ可能な円弧状に凹む受け部９ｂを有している。そして、サポートロール４の前記他方の端部は、その軸部４ａに嵌装されたベアリング（以下、「他方のベアリング」と言う。）４ｂがこの受け部９ｂに受け入れられるかたちで支持されている。また、前記他方の端部側の支持フレーム９には、受け部９ｂよりも前側の部分から後方へ向けて延在し、受け部９ｂに受け入れられた他方のベアリング４ｂの上端に当接するように設けられた平板状の第２の規制部材２２が設けられている。従って、サポートロール４は、前記他方の端部側においては、他方のベアリング４ｂが受け部９ｂに受け入れられると共に、他方のベアリング４ｂの上端に第２の規制部材２２が当接することにより、前後方向及び上下方向に変位不能な状態で支持フレーム９に支持されている。
【００４８】
前記のように、サポートロール４の前記一方の端部には、図２に示すように、布帛ＣＬの張力に応じた荷重を検出するための荷重検出器３１としてのロードセルが接続されている。図示の例では、このロードセル３１は、Ｓ字型のものであって、その両側に固定された軸部３１ａ、３１ａの一方において支持フレーム９に支持されると共に、他方の軸部３１ａにおいて一方のベアリング４ｂに当接可能に設けられている。より詳しくは、サポートロール４における前記一方の端部側の支持フレーム９には、前記の第１の突出部９ａよりも前方で上方へ向けて突出する第２の突出部９ｃが形成されており、ロードセル３１は、その一方の軸部３１ａの端部がこの第２の突出部９ｃに固定されることで、片持ち状態で支持フレーム９に支持されている。
【００４９】
なお、ロードセル３１は、その両側における軸部３１ａ、３１ａの軸心の高さ位置が、支持フレーム９に載置された状態における一方のベアリング４ｂにおける軸心の高さ位置とほぼ同じとなるように、水平状態で支持されている。従って、前記のように支持フレーム９によって水平方向に変位可能に支持されたサポートロール４は、布帛ＣＬの張力によって前方へ向けて付勢されるが、その付勢された力がロードセル３１の他方の軸部３１ａによって受けられる。そして、それにより、布帛ＣＬの張力に応じてサポートロール４に作用する荷重がロードセル３１によって検出される。
【００５０】
因みに、この構成の場合、布帛ＣＬの張力によってサポートロール４に対し図２のＦで示す斜め下方へ向けた荷重が作用する。そして、その荷重Ｆの分力である水平方向の荷重Ｆ’がロードセル３１に作用する。ロードセル３１は、その荷重Ｆ’を検出し、それに応じた電気信号（荷重検出信号）を後述の駆動制御器４３へ向けて出力する。
【００５１】
また、本実施例では、図３に示すように、サポートロール４の前記他方の端部側において、布帛ＣＬの進行方向に応じたサポートロール４の回転を阻止する回転阻止機構２３が設けられている。この回転阻止機構２３の構成は、サポートロール４の回転に伴う印刷部８における布帛ＣＬの上下動を回避することを目的としたものである。詳しくは、高精細な印刷を行うためには、印刷部８においては、できる限り布帛ＣＬの高さ位置が一定であることが求められる。一方で、サポートロール４について、その外周形状が極めて高い真円度を有するように形成されたとしても、サポートロール４の両端部（支持部分）の構成を含めた僅かな誤差により、回転に伴ってサポートロール４の上端位置が変化する場合があり得る。従って、サポートロール４は、基本的には回転しない方が好ましく、そのために、前記のような回転阻止機構２３が設けられる。
【００５２】
なお、図示の例における回転阻止機構２３の構成は、サポートロール４の前記他方の端部側における端面に取り付けられたナット２３ａと、支持フレーム９の内側の側面に螺挿されたネジ部材２３ｂの頭部２３ｂ１とを係合させることにより、サポートロール４の一方向（布帛ＣＬの進行に応じた回転方向）の回転を阻止するものとなっている。より具体的には、以下の通りである。
【００５３】
サポートロール４における他方の端部側の端面であって軸心から離間する位置には、雌ネジ孔（図示略）が形成されており、その雌ネジ孔にイモネジ（六角穴付き止めネジ。図示略）が螺挿されると共に、そのイモネジにナット２３ａが螺合されている。これにより、サポートロール４における前記他方の端部側の端面には、その端面に当接する状態でナット２３ａが取り付けられている。一方で、サポートロール４の前記端面に対向する支持フレーム９の内側の側面にも、サポートロール４の前記端面に形成された雌ネジ孔とサポートロール４の軸心からの距離が等しい位置に雌ネジ孔（図示略）が形成されている。そして、この雌ネジ孔にネジ部材２３ｂが螺挿され、その結果として、支持フレーム９の前記内側の側面からネジ部材２３ｂの頭部２３ｂ１が突出した状態となっている。
【００５４】
この構成では、前記ナット２３ａと前記ネジ部材２３ｂとが係合していない状態では、サポートロール４は回転可能であるが、布帛ＣＬの進行に伴うサポートロール４の前記一方向への回転に伴い、１回転未満の回転で前記ナット２３ａと前記ネジ部材２３ｂとが係合し、それ以上の前記一方向へのサポートロール４の回転が阻止された状態となる。なお、本実施例では、ベアリング４ｂを介してサポートロール４を回転可能に支持すると共に、前記回転阻止機構２３を付設してサポートロール４の回転を阻止する構成としているが、これは、印刷媒体である布帛ＣＬの種類等によっては、サポートロール４を回転可能にするためである。詳しくは以下の通りである。
【００５５】
印刷部８へ向けて布帛ＣＬを転向させるガイド部材（本実施例ではサポートロール４）を回転不能なロールや非ロール状の部材とした場合、布帛ＣＬの種類等によっては、ガイド部材と布帛ＣＬとの間の摩擦抵抗が大きいため、送りロール３の回転制御に伴う布帛ＣＬの送給量が印刷部８に十分に波及せず、印刷部８における布帛ＣＬの張力が適正なものにならない場合がある。このような張力が適正ではない状態は、前記したサポートロール４の回転に伴う布帛ＣＬの上下動よりも印刷に与える影響が大きいものとなる。従って、このような場合には、サポートロール４を回転可能としたほうが好ましいため、本実施例は、サポートロール４を回転不能な状態と回転可能な状態とで切換え可能とすべく、回転阻止機構２３を備える構成としてある。因みに、図示の回転阻止機構２３において、サポートロール４を回転可能とする場合は、サポートロール４に取り付けられているナット２３ａ及びイモネジを取り外すか、あるいは、支持フレーム９に取り付けられているネジ部材２３ｂを取り外せばよい。
【００５６】
なお、回転阻止機構２３は、図示の構成に限らず、例えば、イモネジとナット２３ａとの組み合わせを、単一のネジ部材に置き換えることも可能である。また、ベルト等の連結具によって支持フレーム９とサポートロール４とを連結する構成や、支持フレーム９に形成された貫通孔に挿入されたネジ部材をサポートロール４に螺挿する構成等であってもよい。
【００５７】
図１に示すように、サポートロール４からフィードロール５へ送られた印刷済みの布帛ＣＬは、巻取側ガイドロール６を経由し、巻取ロール７へ導かれる。
【００５８】
巻取側ガイドロール６は、フィードロール５から送られた布帛ＣＬが巻き掛けられ、巻取ロール７へ向けて布帛ＣＬを案内するものであって、その両端部に形成された軸部６ａ、６ａ（片側のみ図示する。）において、一対の支持フレームに対し軸受等を介して回転可能に支持されている。前記したように、巻取側ガイドロール６は、巻取ロール７に向う布帛ＣＬが所定の位置で案内されて巻取ロール７に対する布帛ＣＬの巻掛け角を常に一定とするためのものであり、図示の例では、上下方向に関し、巻取ロール７よりも上方であって、その軸心の高さ位置がフィードロール５の軸心よりも下方に位置するように設けられると共に、前後方向に関し、フィードロール５及び巻取ロール７よりも前方（サポートロール４側）に位置するように設けられている。また、図示の例では、フィードロール５に対する布帛ＣＬの巻掛け角を大きくするために、巻取側ガイドロール６は、上下方向に関し、その上端がフィードロール５の下端よりも上方に位置するように、その軸心の高さ位置がフィードロール５の下端に近い位置となるように設けられている。
【００５９】
巻取ロール７は、上下方向に関しフィードロール５の下方において、前記した一対の支持フレームに対し回転可能に支持されている。また、巻取ロール７は、中空円筒状の巻芯７ａであって、その外周面に印刷済みの布帛ＣＬが巻きつけられる巻芯７ａと、巻芯７ａに挿通されて巻芯７ａを支持する巻取軸１２とで構成されている。より詳しくは、巻芯７ａと巻取軸１２とは、巻取軸１２が巻芯７ａに挿通され、巻取軸１２に対し着脱可能なテーパブッシュ等により、同芯状態で相対回転不能に連結される。また、巻取軸１２は、その軸線方向の寸法が巻芯７ａよりも長くなっており、前記連結状態において巻芯７ａの両端部よりも突出している。そして、巻取軸１２は、その両端の突出部分の端部（以下、支持部とも言う。）において、軸受（図示略）等を介し、支持フレームに対し回転可能に支持され、一対の支持フレーム間に架設される。この構成により、巻取ロール７は、一対の支持フレーム間において、巻取軸１２を介して回転可能に支持された状態となっており、また、巻芯７ａは、布帛ＣＬを巻き取った状態で巻取軸１２から取り外すことが可能となっている。
【００６０】
巻取ロール７（巻芯７ａ）を支持する巻取軸１２の一端には、ギア列等を含む駆動伝達機構７ｂを介して巻取モータＭ２が連結されている。巻取モータＭ２はトルクモータであって、巻取張力が一定となるようにトルク制御される。なお、巻取ロール７の近傍には巻径センサ７ｓが設けられており、印刷済みの布帛ＣＬを巻き取る巻取ロール７の巻径が、この巻径センサ７ｓによって検出される。巻取モータＭ２のトルク制御においては、この巻径センサ７ｓからの信号に基づいて求められた巻取ロール７の巻径に応じてトルクが調整される。このように、本実施例の巻取部分では、フィードロール５から送り出された布帛ＣＬを所定の張力で巻き取る構成となっており、これにより、巻き取られる布帛ＣＬの巻皺を防止することができる。
【００６１】
図４には、本実施例における布帛用の印刷装置の制御構成の全体が示されており、図５には、図４の一部（駆動制御器４３）がより詳細に示されている。印刷装置における制御のための構成として、本実施例は、印刷ヘッド８ａの動作を制御するための印刷動作制御器４１と、前記した各モータの駆動を制御する駆動制御器４３とを備える。また、布帛ＣＬの目標張力の設定値、送り動作時における送出モータＭ１及び駆動モータＭ３の回転量の設定値、巻取モータＭ２のトルク制御のためのトルク設定値等を入力・設定するための入力設定器４２が、印刷動作制御器４１に接続されるかたちで設けられている。なお、この入力設定器４２によって入力・設定された前記の設定値は、印刷動作制御器４１に内蔵された記憶器４１ａにおいて記憶され、その設定値に応じた指令信号等が駆動制御器４３に送信される。
【００６２】
印刷装置における動作は、以下の１）〜３）の手順で行われる。
１）布帛ＣＬが停止した状態で、印刷動作制御器４１からの指令に従って印刷ヘッド８ａが布帛ＣＬの幅方向に亘って走行し、前後方向における所定の印刷範囲に亘って布帛ＣＬに対し印刷を行う。
２）印刷ヘッド８ａによる１回の印刷動作が完了した後、印刷動作制御器４１からの指令に従って駆動モータ（フィードロール５）Ｍ３が回転駆動されて布帛ＣＬの送り動作が行われ、それと同時に、送出モータＭ１が回転駆動されて送りロール３による印刷部８へ向けた布帛ＣＬの送給動作が行われる。
３）布帛ＣＬの送り動作（フィードロール５の回転駆動）が完了した後、再び前記１）の印刷動作が実行され、以降、これら一連の処理が繰り返される。
【００６３】
印刷動作制御器４１は、１回の印刷動作を実現すべく、印刷ヘッド８ａを布帛ＣＬの幅方向に亘って走行させると共に、印刷ヘッド８ａに備えられた複数本のノズルの噴射を制御し、所望の印刷を印刷ヘッド８ａに行わせる。また、前記の動作手順を繰り返し実現すべく、印刷動作制御器４１は、１回の印刷動作が完了した時点で、駆動制御器４３に対し布帛ＣＬの送り動作を指令する送り動作指令信号を出力する。また、布帛ＣＬの送り動作が完了した時点で、印刷動作制御器４１は、駆動制御器４３から送り動作の完了を示す駆動完了信号を受け、再び印刷ヘッド８ａに印刷動作を実行させる。
【００６４】
印刷動作としては、印刷ヘッド８ａの待機位置（布帛ＣＬの幅方向における一端側）から布帛ＣＬの他端側（布帛ＣＬの幅方向における待機位置とは反対側）へ向けた往動時にのみ印刷を行い、待機位置へ戻る複動時には印刷を行わない方式（片道印刷）と、往動時及び復動時の印刷で１回の印刷動作が完了する方式（往復印刷）とがある。片道印刷の場合には、印刷ヘッド８ａが布帛ＣＬの他端側に達した時点で前記の送り動作指令信号を出力することが可能であり、印刷ヘッド８ａが待機位置へ戻る動作の途中で布帛ＣＬの送り動作（フィードロール５の回転駆動）を開始することができる。一方、往復印刷の場合には、印刷ヘッド８ａが待機位置に戻った時点で前記の送り動作指令信号が出力される。
【００６５】
前記のように、印刷動作制御器４１は記憶器４１ａを備え、入力設定器４２によって入力・設定された以下の１）〜５）の設定値等が記憶されているものとする。
１）布帛ＣＬの目標張力の設定値（目標張力値）。
２）１回の送り動作に必要な布帛ＣＬの移動量に相当するフィードロール５の回転量に応じた駆動モータＭ３の回転量（設定回転量）、及び布帛ＣＬの送り動作に伴う送給動作のための送りロール３の回転量に応じた送出モータＭ１の回転量（設定回転量）。なお、基本回転量としての送出モータＭ１の設定回転量について、布帛ＣＬの伸縮を無視した場合、送りロール３による布帛ＣＬの送給量は、印刷部８における布帛ＣＬの移動量（フィードロール５による布帛ＣＬの送り量）と一致している必要がある。また、図示の例では、フィードロール５と送りロール３とは同じ径となっている。従って、送出モータＭ１の設定回転量は、フィードロール５の設定回転量と同じ回転量で設定されている。
３）駆動モータＭ３及び送出モータＭ１の加速時における加速度、及び減速時における減速度。なお、本実施例では、前記加速度は加速期間に亘って一定（等加速度）とし、前記減速度も減速期間に亘って一定（等減速度）とする。従って、加速度及び減速度は、それぞれ１つの設定値が設定されるものとする。また、本実施例は、駆動モータＭ３と送出モータＭ１とで加速度を異ならせており、送出モータＭ１の加速度の設定値の方が駆動モータＭ３の加速度の設定値よりも大きい値に設定されているものとする。
４）駆動モータＭ３及び送出モータＭ１の動作時間（１回の布帛ＣＬの送り動作及び送給動作が行われる時間）。
５）巻取モータＭ２をトルク制御するためのトルク設定値。
【００６６】
図５に示すように、本実施例における駆動制御器４３は、送出モータＭ１に対する駆動指令を発生する送出制御部４４、駆動モータＭ３に対する駆動指令を発生する布帛送り制御部４５、及び巻取モータＭ２に対するトルク指令を発生する巻取制御部４６とを含む。また、駆動制御器４３は、印刷動作制御器４１における記憶器４１ａに記憶された設定値等に基づいて送出モータＭ１、駆動モータＭ３の速度パターンを作成し、送出制御部４４及び布帛送り制御部４５へ出力する速度パターン発生器４７とを含む。
【００６７】
速度パターン発生器４７は、印刷動作制御器４１における記憶器４１ａに記憶されている送出モータＭ１、駆動モータＭ３の回転量（前記２））送出モータＭ１、駆動モータＭ３の加速度及び減速度（前記３））、及び送出モータＭ１及び駆動モータＭ３の設定動作時間（前記４））に基づき、送出モータＭ１、駆動モータＭ３のそれぞれについて速度パターン（動作パターン）を作成する。従って、印刷動作制御器４１は、入力設定器４２によって前記設定値が入力・設定されたことに伴い、その設定値を示す設定信号を速度パターン発生器４７に対し出力する。そして、速度パターン発生器４７は、その作成された各速度パターンを、それぞれ送出制御部４４又は布帛送り制御部４５へ出力する。
【００６８】
図６のタイムチャートには、この速度パターンの一例に対する、印刷ヘッド、印刷動作制御器、及び布帛送り制御部の各動作が示されている。また、図７（ａ）には、速度パターンの一例の詳細が示されている。本実施例では、各速度パターンは、先ず回転開始からの加速期間において、前記のように等加速度で直線的に速度が増加し、加速期間に続く定速期間を経た後、減速期間において等減速度で直線的に速度が減速するパターンとなる。なお、前記のように、本実施例では、送出モータＭ１の加速度（設定値）は、駆動モータＭ３の加速度（設定値）よりも大きい値に設定されている。従って、図７（ａ）に示すように、送出モータＭ１及び駆動モータＭ３の各速度パターンにおける加速期間での回転速度の上昇度合（加速期間における直線の傾き）については、送出モータＭ１用の速度パターンが駆動モータＭ３の速度パターンよりも大きくなっている。
【００６９】
また、本実施例では、設定された動作時間（図示の例では、０．４秒）で設定回転量の回転が行われるように、速度パターンが設定される。そして、この速度パターンで表される台形の面積が、送出モータＭ１、駆動モータＭ３の回転量に相当する。なお、前記のように両モータＭ１、Ｍ３の設定回転量は同じであるため、送出モータＭ１及び駆動モータＭ３を駆動するための各速度パターンで表される台形の面積は同じである。以上の条件に基づき、速度パターン発生器４７は、送出モータＭ１及び駆動モータＭ３を駆動するための各速度パターンを作成する。因みに、図６の例では、作成された各速度パターンの出力終了時点から、４．０〜５．０経過毎に、次に作成された速度パターンの出力開始時点が来るものとなっている。
【００７０】
布帛送り制御部４５は、前記した速度パターン発生器４７によって作成された駆動モータＭ３用の速度パターンに基づき、駆動モータＭ３の駆動を制御するサーボドライバ（Ｂ）に対し、位置指令としてのパルス信号を出力する。より詳しくは、本実施例の布帛送り制御部４５は、内蔵する記憶部（メモリ（図示略））において、速度パターン発生器４７で作成された駆動モータＭ３用の速度パターンを記憶すると共に、印刷動作制御器４１から前記した送り動作指令信号が入力されるものとなっている。そして、布帛送り制御部４５は、その送り動作指令信号の入力に伴い、その入力時点から予め設定された時間（図６の設定時間ｔ１）経過後に、駆動モータＭ３用の速度パターンに基づき、駆動モータＭ３の駆動制御を行うサーボドライバ（Ｂ）に対し、位置指令としてのパルス信号を出力する。なお、前記設定時間ｔ１については、前記送り動作指令信号の入力時点に対する駆動モータＭ３の駆動開始時点を規定する設定値として、記憶器４１ａに設定されているものとする。
【００７１】
サーボドライバ（Ｂ）は、布帛送り制御部４５からの位置指令（パルス信号）と、駆動モータＭ３の回転量を検出するエンコーダＥＮからの信号に基づき、駆動モータＭ３の駆動を制御する。これにより、駆動モータＭ３は、駆動モータＭ３用の速度パターンに従った回転態様で駆動される。因みに、図７（ｂ）は、前記速度パターンに従って駆動モータＭ３を駆動したことに伴うフィードロール５の回転によって送られる布帛ＣＬの移動量を示す。
【００７２】
また、布帛送り制御部４５は、駆動モータＭ３の回転駆動（布帛ＣＬの送り動作）が完了したことを示す駆動完了信号を、印刷動作制御器４１へ向けて出力する。この駆動完了信号の出力時点は、本実施例では、前記位置指令の出力開始時点（駆動モータＭ３の駆動開始時点）から予め設定された設定時間（図６のｔ２）経過後とする。但し、この設定時間ｔ２は、前記した駆動モータＭ３の設定動作時間に余裕時間を加えて設定されたものとする。
【００７３】
なお、この駆動完了信号の出力について、前記では駆動モータＭ３の設定動作時間に基づいて設定された設定時間経過後に出力されるものとしたが、例えば、布帛ＣＬの張力が安定している、すなわち、張力検出装置によって検出される布帛ＣＬの張力が目標張力値を基準とする所定の範囲に収まっていることを条件とし、それに基づいて出力されるものとしてもよい。また、本実施例の装置においては、駆動モータＭ３の回転異常等を検知することを目的として駆動モータＭ３の設定回転量分の回転駆動が完了した時点でサーボドライバ（Ｂ）から回転完了を示す信号が布帛送り制御部４５に対し出力されるものとなっており、この回転完了信号が入力されたことを条件として、それに基づいて布帛送り制御部４５が駆動完了信号を出力するものとしてもよい。更には、前記の設定時間ｔ２、布帛ＣＬの張力、駆動モータＭ３の回転完了信号のうちの２以上の条件に基づき、駆動完了信号が出力されるものとしてもよい。
【００７４】
送出制御部４４は、基本動作として、前記した速度パターン発生器４７によって作成された送出モータＭ１用の速度パターンに基づき、送出モータＭ１の駆動を制御するサーボドライバ（Ａ）に対し、位置指令としてのパルス信号を出力する。
【００７５】
本実施例の送出制御部４４について、詳しくは、以下の通りである。送出制御部４４は、駆動指令器４４ｃを備えており、この駆動指令器４４ｃは内蔵する記憶部（メモリ（図示略））において、前記した速度パターン発生器４７によって作成された送出モータＭ１用の速度パターンを記憶する。そして、送出制御部４４は、布帛送り制御部４５と同様に、送出モータＭ１用の速度パターンに基づき、送出モータＭ１の駆動制御を行うサーボドライバ（Ａ）に対し、位置指令としてのパルス信号を出力する。このサーボドライバ（Ａ）は、送出制御部４４からの位置指令（パルス信号）と、送出モータＭ１の回転量を検出するエンコーダＥＮからの信号に基づき、送出モータＭ１の駆動を制御する。これにより、送出モータＭ１は、送出モータＭ１用の速度パターンに従った回転態様で駆動される。
【００７６】
また、送出制御部４４は、本発明に基づく布帛ＣＬの張力に応じた送出モータＭ１の駆動制御を実行すべく、前記駆動指令器４４ｃに加え、張力検出器４４ａ及び比較器４４ｂを含む。より詳しくは、送出制御部４４は、入力側において張力検出装置におけるロードセル３１に連結された張力検出器４４ａと、入力側で張力検出器４４ａに接続されると共に出力側で駆動指令器４４ｃに接続された比較器４４ｂとを備える。なお、張力検出器４４ａとロードセル３１との間にはロードセルアンプ４８が介装されており、このロードセルアンプ４８は、ロードセル３１から出力された荷重検出信号に応じた張力信号（Ｔ）を張力検出器４４ａへ向けて出力する。
【００７７】
張力検出器４４ａには、印刷動作制御器４１からの前記の送り動作指令信号が入力される。また、張力検出器４４ａは、ロードセルアンプ４８からの張力信号（Ｔ）を、予め設定された所定の検出周期毎に、布帛ＣＬの張力の検出値としてサンプリング（検出）し、これを順次記憶していく。そして、張力検出器４４ａは、前記送り動作指令信号が入力された時点で、その入力時点を終点とする所定期間における複数の検出値の平均値を算出し、その算出値を平均張力値（Ｔａ）として比較器４４ｂへ出力する。なお、この場合、この平均張力値（Ｔａ）が、本発明で言う「（張力の検出値に基づく）検出張力値」となる。
【００７８】
比較器４４ｂは、印刷動作制御器４１から出力された布帛ＣＬの目標張力の設定値（目標張力値（Ｔ０））を、内蔵する記憶部（メモリ（図示略））に記憶しているものとする。そして、比較器４４ｂは、張力検出器４４ａから平均張力値（Ｔａ）が入力された時点で、その平均張力値（Ｔａ）と目標張力値（Ｔ０）との偏差を算出し、その偏差の大きさ及び偏差方向（プラス、或いはマイナス）を含む偏差信号（δ）を駆動指令器４４ｃへ向けて出力する。なお、偏差信号（δ）は、偏差が０の場合も含む。
【００７９】
駆動指令器４４ｃは、比較器４４ｂから偏差信号（δ）が入力された時点で、その偏差信号（δ）に基づき、前記速度パターンを補正し、その補正された速度パターンに基づき、前記位置指令（パルス信号）の出力を開始する。なお、偏差信号（δ）で示される信号が０の場合には、速度パターンは速度パターン発生器４７で作成されたままのもの（補正無し）として、位置指令が出力される。また、前記位置指令（パルス信号）の出力の開始は、布帛送り制御部４５と同様に、送り動作指令信号が入力された時点から設定時間ｔ１後に行われる。すなわち、本実施例では、前述のように、送出モータＭ１の駆動はフィードロール５の回転駆動（駆動モータＭ３の駆動）と同時に開始されるものであるため、送り動作指令信号が入力された時点に対する駆動開始を規定するための設定時間としては、布帛送り制御部４５と同様に、記憶器４１ａに設定された設定時間ｔ１が用いられる。
【００８０】
図８には、補正後の速度パターンの一例が示されている。図示の例は、平均張力値（Ｔａ）が目標張力値（Ｔ０）を上回っている（偏差がプラス）場合、すなわち、前回の布帛ＣＬの送り動作の結果として布帛ＣＬの張力が所望の張力よりも高くなっている場合における補正後の速度パターンを示す。因みに、図において点線で示す基本速度パターンは、印刷動作制御器４１における記憶器４１ａに記憶されている設定値に基づいて速度パターン発生器４７で作成された速度パターンである。
【００８１】
前記のように布帛ＣＬの張力が高い状態にあるため、駆動指令器４４ｃは、張力を下げるべく、前記偏差の大きさに応じた分だけ送出モータＭ１の回転量を大きくする（＝布帛ＣＬの送給量を増大する）ように速度パターンを補正する。なお、平均張力値（Ｔａ）が目標張力値（Ｔ０）を下回っている場合（偏差がマイナスの場合）には、送出モータＭ１の回転量を小さくする（＝布帛ＣＬの送給量を減少させる）ように速度パターンが補正される。
【００８２】
また、速度パターンは、図示の例では、加速度及び減速度については変更せずに、その補正が行われるものとなっている。すなわち、補正後の速度パターンは、基本速度パターンと同様に、加速度及び減速度については加速期間及び減速期間に亘って一定であり、且つ、その加速度及び減速度が印刷動作制御器４１における記憶器４１ａに記憶された設定値に相当するものとなっている。
【００８３】
但し、図示の例では、速度パターンは、送出モータＭ１の回転数の上昇を考慮し、前記のように送出モータＭ１の回転量を増大させるにあたり、基本速度パターンに対し動作時間が変更されたものとなっている。すなわち、前記のように、本実施例では、速度パターンを補正するにあたって駆動指令器４４ｃは、加速度及び減速度を変更しないことを条件としているが、これに加え、図示の例では、送出モータＭ１の回転数の上限を設定しておき、この回転数の上限も補正の条件としている。従って、図示の例では、駆動指令器４４ｃは、前記偏差に基づいて送出モータＭ１の回転量が増大される場合において、動作時間が変更される場合を含むものとなっている。
【００８４】
より詳しくは、前記のように加速度及び減速度を変更しない場合、定速駆動時の回転数（駆動時の最高回転数）を上昇させる（＝定速で駆動される期間を減少させる）ことで回転量を増大させることができる。しかし、前記最高回転数が高いと、加速状態から定速状態への移行時及び定速状態から減速状態への移行時に送出モータＭ１に掛かる負荷が大きくなる。そこで、それを考慮し、送出モータＭ１の回転数に上限を設定することが考えられる。この場合、前記偏差に基づく補正後の回転量を満たす上で回転数が設定された上限を超えるような場合には、動作時間が変更されるものとなる。なお、補正後の回転量を満たす上で回転数が設定された上限を超えないような場合には、定速駆動期間のみが変更され、動作時間は変更されない。
【００８５】
一方、前記のような送出モータＭ１に掛かる負荷を考慮しなくてもよい場合には、回転数の上限を設定せず、定速駆動期間の変更のみで速度パターンの補正が行われるものとしてもよい。但し、その場合において、定速駆動期間を０としても、すなわち、速度パターンが加速期間及び減速期間のみの三角形で表されるものとなっても、前記偏差に応じた回転量が得られない場合には、更に動作時間が変更される。
【００８６】
以上から、本実施例では、印刷動作制御器４１における記憶器４１ａ、駆動制御器４３における送出制御部４４及び布帛送り制御部４５、及び２つのサーボドライバ（Ａ）、（Ｂ）を組み合わせたものが、本発明における駆動制御装置に相当し、そのサーボドライバ（Ａ）が本発明における送出制御器に相当する。また、張力検出装置は、サポートロール４、ロードセル３１、ロードセルアンプ４８、及び駆動制御器４３における張力検出器４４ａで構成されている。
【００８７】
巻取制御部４６は、トルクモータである巻取モータＭ２の駆動を制御するトルク制御器４９に対し、巻取ロール７の巻径に応じたトルク指令を出力する。巻取制御部４６には、巻取ロール７の巻径を検出する巻径センサ７ｓから、検出された巻径に応じた電気信号（巻径信号（Ｄ））が入力されている。そして、巻取制御部４６は、印刷動作制御器４１における記憶器４１ａに記憶された設定トルクを巻径信号（Ｄ）で補正し、その補正後のトルクに応じたトルク指令信号をトルク制御器４９へ向けて出力する。トルク制御器４９は、巻取制御部４６からのトルク指令信号に基づき、前記補正後のトルクで巻取モータＭ２が駆動されるように、巻取モータＭ２の駆動を制御する。
【００８８】
以上の構成からなる本実施例の印刷装置では、印刷部８よりも下流側に設けられたフィードロール５が駆動モータＭ３によって間欠的に所定の回転量ずつ回転駆動されることにより、印刷部８における布帛ＣＬがフィードロール５によって下流側へ牽引され、これにより印刷部８における所定の送り量による布帛ＣＬの送り動作が行われる。また、この布帛ＣＬの送り動作に伴い、サポートロール４よりも上流側の送給部分においても、布帛ＣＬが巻き掛けられる送りロール３を回転駆動して印刷部８へ向けて積極的に布帛ＣＬを供給するものとなっており、これにより、下流側でのフィードロール５による牽引に伴う送り動作による布帛ＣＬの張力変動が抑制される。
【００８９】
しかも、本実施例の印刷装置は、布帛ＣＬの送り動作に伴って行われる送りロール３の回転駆動における駆動量（送りロール３の回転量）を、印刷部８の上流側で布帛ＣＬを案内するサポートロール４を介して検出された張力に基づき、予め設定された設定回転量であってフィードロール５の回転量に合せて設定された設定回転量に対し補正を加えたものとしている。これにより、送りロール３による布帛ＣＬの送給量が、検出された布帛ＣＬの張力に応じて調整され、前記の張力変動の抑制効果がより効果的なものとなる。
【００９０】
また、本実施例の印刷装置では、供給ロール１から引き出された布帛ＣＬは、巻取ロール７に至る経路中のいずれにおいても、一対のロールによる挟持が行われることなく、巻取ロール７へ向けて送られる構成となっている。なお、布帛ＣＬ自身の性状やロールによる挟持力によっては、一対のロールによって布帛ＣＬを挟持して送る構成とした場合、ロールによる挟持に起因して布帛ＣＬに圧痕が付く等の品質状の問題が生じる場合がある。これに対し、前記した本実施例の構成では、布帛ＣＬがロールによって挟持されることがないため、前記のような品質上の問題の発生を招くことは無い。
【００９１】
更に、本実施例の印刷装置は、布帛ＣＬの送り動作時において、それに伴う送りロール３の回転駆動時における加速期間の加速度を、フィードロール５の回転駆動における加速期間の加速度よりも大きく設定している。これにより、サポートロール４の慣性やサポートロール４と布帛ＣＬとの間の摩擦抵抗等によって、送りロール３による布帛ＣＬの積極的な送給が直ぐに印刷部８における布帛ＣＬに波及し難い場合であっても、送り動作初期における送りロール３による布帛ＣＬの送給量をフィードロール５による布帛ＣＬの送り量（印刷部８からの牽引量）よりも大きくし、それによって、送り動作初期における布帛ＣＬの大きな張力上昇を抑制することができる。
【００９２】
本発明の印刷方法及び印刷装置（以下、「本発明」と言う。）は、前記実施例に限定されるものではなく、その趣旨を逸脱しない範囲において適宜変更可能である。例えば、本発明は、供給ロール１、巻取ロール７等の配置については、前記実施例のものには限定されず、装置の大きさ等を考慮して適宜に変更可能であり、一例として、図９に示すような構成としてもよい。図９の構成では、供給ロール１及び巻取ロール７は、前後方向に関し印刷部８に対する同じ側（前側）に配置されており、装置全体として前後方向に関する寸法が前記実施例のものよりも小さくなっている。
【００９３】
また、前記実施例は、供給ロール１よりも下流側に配置されて布帛ＣＬが巻き掛けられる送りロール３を送出モータＭ１で回転駆動し、印刷部８へ向けて布帛ＣＬを送給するものとしたが、これに代えて、本発明は、供給ロール１を送出モータで回転駆動して布帛ＣＬの送給を行うものとしてもよい。この場合、前記実施例における送りロール３及び送出側ガイドロール２は省略される。また、この場合、供給ロール１が、本発明で言う「送給ロール」に相当するものとなる。
【００９４】
張力検出装置について、前記実施例は、下方の送りロール３から送給された布帛ＣＬを印刷部８へ向けて転向させるサポートロール４を介して張力を検出するものとしたが、これに代えて、本発明は、図９に示すようにサポートロール４と送りロール３との間に布帛ＣＬを案内するガイドロール１３が設けられている構成の場合、このガイドロール１３を介して張力を検出するものとしてもよい。
【００９５】
また、前記実施例は、布帛ＣＬの張力に応じた荷重を検出するための荷重検出器（ロードセル）３１をサポートロール４の両端部のうちの一方の端部に接続する構成としたが、これに代えて、本発明は、張力検出器４４ａの一部として機能するロール（サポートロール４、図９における前記ガイドロール１３）の両端部に荷重検出器３１を接続し、その検出値に基づいて布帛ＣＬの張力を検出する構成としてもよい。
【００９６】
更に、前記実施例は、印刷部８へ向けて布帛ＣＬを送給する構成については、外周面に滑り止め部材３ｃが貼着された送りロール３に布帛ＣＬを巻き掛けて送りロール３を回転駆動するものとしたが、本発明は、前記布帛ＣＬの送給する構成については、回転駆動される送給ロールと該送給ロールに押接されるように設けられて送給ロールの回転に従動して回転する従動ロールとを備え、これら一対のロールによって挟持して布帛ＣＬを送給する構成としてもよい。なお、この構成の場合、送りロール３に対する布帛ＣＬの巻掛け角の変化が布帛ＣＬの送給量に影響を及ぼすことはないため、前記実施例の構成における送出側ガイドロール２を省略することができる。また、この構成の場合、本発明は、必ずしも前記実施例のように布帛ＣＬが送給ロール（送りロール３）に巻き掛けられている必要はなく、直線的な布帛ＣＬの経路中に送給ロール及び従動ロールが設けられる構成とすることも可能である。
【００９７】
因みに、布帛ＣＬに送り動作を与えるべく印刷部８よりも下流側で布帛ＣＬを牽引する（送る）構成（前記実施例ではフィードロール５）は、印刷済みの布帛ＣＬに接触するものであるため、前記実施例のフィードロール５のように、布帛ＣＬの非印刷面にのみ接触して布帛ＣＬを牽引するものとした方が、印刷面に接触して布帛ＣＬを牽引するものよりも好ましい。但し、布帛ＣＬの印刷面が十分に乾燥していれば、一対のロールで挟持して布帛ＣＬを牽引する構成としても印刷面に対する影響は小さいため、乾燥装置等を備える場合には、本発明は、前記実施例のフィードロール５に代えて、一対のロールで印刷済みの布帛ＣＬを挟持して牽引する構成としてもよい。
【００９８】
また、前記実施例は、送給ロール（送りロール３）を回転駆動する送出モータＭ１、及びフィードロール５を回転駆動する駆動モータＭ３を駆動するための速度パターンについて、加速期間における加速度及び減速期間における減速度を各期間に亘って一定（等加速度、等減速度）としたが、前記各モータＭ１、Ｍ３の速度パターンは、これに限らず、例えば、各モータに掛かる負荷等を考慮し、加速期間及び減速期間の初期及び、或いは又は終期における加速度及び減速度を小さくする等、適宜に変更可能である。
【００９９】
更に、前記実施例は、前記のように加速期間における加速度を等加速度とした上で、送り動作初期における布帛ＣＬの張力上昇を抑制するために、送出モータＭ１及び駆動モータＭ３の各駆動における加速期間での加速度を、送出モータＭ１の方が大きくなるように記憶器４１ａに設定しているが、これについて、例えば、送り動作の初期においてのみ送出モータＭ１の加速度が大きくなるように、送出モータＭ１を駆動するための速度パターンを、加速期間の前半における加速度が駆動モータＭ３の加速度よりも大きく、後半における加速度が駆動モータＭ３の加速度と同じとなるようなものとしてもよい。
【０１００】
また、前記の送り動作初期における布帛ＣＬの張力上昇を抑制するための構成について、前記実施例のように加速度を異ならせるものに代えて、本発明は、前記加速度については同じとし、送給ロールの回転駆動（送出モータＭ１の駆動）の開始時期をフィードロール５の回転駆動（駆動モータＭ３の駆動）の開始時期よりも先行させるようにしてもよい。具体的には、印刷動作制御器４１からの送り動作指令信号が入力された時点に対する前記開始時期を規定するために記憶器４１ａに設定される設定時間（前記実施例における図６の設定時間ｔ１）を、送給ロールの回転駆動用とフィードロール５の回転駆動用とで異なる設定時間であって、送給ロールの回転駆動用方が短い設定時間としてもよい。そして、これによっても前記実施例と同様の効果が得られる。また、前記加速度及び前記設定時間を共に異ならせて適宜に設定されたものとしてもよい。
【０１０１】
また、送出モータＭ１用の速度パターンの補正について、前記実施例は、その補正にあたり加速度及び減速度については変更しないことを条件としたが、これに代えて、本発明は、動作時間が変更されないように加速度及び、或いは又は減速度が変更されるようにしてもよい。
【０１０２】
また、前記実施例は、本発明における駆動制御装置に備えられる記憶器４１ａを印刷動作制御器４１に備えるものとしたが、これに代えて、本発明は、前記実施例における駆動制御器４３に備えるものとしてもよい。この場合は、前記の設定値等を入力・設定するための入力設定器４２は、この駆動制御器４３（記憶器４１ａ）にも接続される構成となる。
【０１０３】
また、前記実施例における駆動制御器４３に備えられた速度パターン発生器４７は、前記実施例のように送出制御部４４及び布帛送り制御部４５に共通のものに限らず、送出制御部４４及び布帛送り制御部４５にそれぞれ別個に備えるものとしてもよい。そして、この場合において、前記実施例は、作成された速度パターンの補正を送出制御部４４が行うものとしたが、これに代えて、本発明は、比較器４４ｂと駆動指令器４４ｃとの間に介装された速度パターン発生器４７が前記補正を行うものとしてもよい。
【０１０４】
また、比較器４４ｂにおいて比較される検出張力値については、前記実施例は、送り動作指令信号が入力された時点を終点とする所定期間における複数の張力検出値の平均値（平均張力値（Ｔａ））としたが、これに代えて、本発明は、送り動作指令信号が入力された時点における張力検出値としてもよい。
【０１０５】
また、前記実施例は、送り動作に伴う送出モータＭ１の駆動が開始される直前（印刷動作制御器４１から送り動作指令信号が出力された時点）で、検出張力値（平均張力値（Ｔａ））と目標張力値（Ｔ０）との比較及びその比較に基づく偏差信号の出力を行い、その偏差信号に基づき、送り動作に伴う送給ロール（送りロール３）の回転駆動のための速度パターンを補正するものとしたが、これに代えて、本発明は、送り動作時以外の時期において、前記の比較及び偏差信号の出力を行い、その偏差信号に基づき、停止状態にある送出モータＭ１を、偏差を解消する方向に回転駆動する駆動制御を実行するものとしてもよい。具体的には、次の通りである。
【０１０６】
先ず、張力検出器４４ａは、予め設定された所定の検出周期毎に、ロードセルアンプ４８からの張力信号（Ｔ）を張力の検出値として検出し、その検出毎にその検出値を検出張力値として比較器４４ｂへ向けて出力する。そして、比較器４４ｂは、検出張力値の入力毎、すなわち、張力の検出周期毎に、検出張力値と目標張力値とを比較し、偏差信号を駆動指令器４４ｃへ向けて出力する。
【０１０７】
その結果として、駆動指令器４４ｃは、その偏差信号に基づき、検出張力値と目標張力値との間に偏差が生じている場合（偏差が０でない場合）には、その偏差を解消する方向へ送出モータＭ１を駆動するための位置指令（パルス信号）を出力する。なお、このときの送出モータＭ１の駆動量（回転量）については、前記偏差の大きさに応じて求められたものであってもよいし、予め設定された所定量であってもよい。
【０１０８】
これにより、布帛ＣＬの実際の張力（張力検出値）が目標の張力（目標張力値）と異なっている場合には、その張力を目標の張力に近づけるように送給ローラ（送出モータＭ１）を回転させる布帛ＣＬの張力調整が行われる。このように、送り動作以外において、布帛ＣＬの張力検出毎にリアルタイムに布帛ＣＬの張力調整を行うことにより、布帛ＣＬの送り動作の開始時点においては、布帛ＣＬの張力は、目標の張力にほぼ一致したものとなる。従って、この場合に、本発明は、前記実施例のように送出モータを駆動するための前記の基本速度パターンに対し補正を加えることを省略することができ、フィードロール５（駆動モータＭ３）の回転駆動と同様に、送給ロール（送出モータＭ１）を前記基本速度パターンに従って回転駆動すればよいものとなる。
【０１０９】
なお、以上のような送出モータＭ１の駆動制御によるリアルタイムでの布帛ＣＬの張力調整について、設定される検出周期が短い場合には、本発明は、前記のような張力検出毎ではなく、所定の複数回の張力検出が行われる毎に、すなわち、２以上の張力検出を含む所定の期間毎に、前記送出モータＭ１の駆動制御を行うようにしてもよい。但し、その場合において、目標張力値との比較に用いる検出張力値は、前記の所定の期間中に得られた複数の張力の検出値を平均したものであってもよいし、最新（送出モータＭ１の駆動制御を実行する直近）の検出値のみであってもよい。
【０１１０】
また、本発明は、前記実施例の構成、すなわち、布帛ＣＬの送り動作に伴う送出モータＭ１の駆動において検出張力値と目標張力値との偏差に応じて送出モータＭ１を駆動するための基本速度パターンに補正を加える構成を、前記では省略可能であるとしたが、前記のような送り動作時以外の時期におけるリアルタイムでの布帛ＣＬの張力調整を、前記実施例の構成と合せて行うものとしてもよい。
【０１１１】
また、本発明は、前記実施例のように布帛ＣＬの送り動作に合せて速度パターンに従って送出モータＭ１の駆動を制御するものとはせず、前記のリアルタイムでの布帛ＣＬの張力調整のみ、すなわち、送出モータＭ１の駆動の制御を張力検出値に基づくもののみとしてもよい。
【０１１２】
なお、本発明は、以上で説明した実施形態（実施例）に限定されるものではなく、その趣旨を逸脱しない範囲において適宜変更可能である。
【符号の説明】
【０１１３】
１供給ロール
１ａ巻芯
２送出側ガイドロール
２ａ軸部
３送りロール
３ｃ滑り止め部材
３ａ軸部
３ｂ駆動伝達機構
４サポートロール
４ａ軸部
４ｂベアリング
５フィードロール
５ａ軸部
５ｂ駆動伝達機構
５ｃ滑り止め部材
６巻取側ガイドロール
６ａ軸部
７巻取ロール
７ａ巻芯
７ｂ駆動伝達機構
７ｓ巻径センサ
８印刷部
８ａ印刷ヘッド
９支持フレーム
９ａ第１の突出部
９ａ１段部
９ｂ受け部
９ｃ第２の突出部
１１送出軸
１２巻取軸
１３ガイドロール
２１第１の規制部材
２１ａ支持部
２１ｂ固定部
２１ｃ規制部
２１ｄ間隙
２２第２の規制部材
２３回転阻止機構
２３ａナット
２３ｂネジ部材
２３ｂ１頭部
３１荷重検出器（ロードセル）
３１ａ軸部
４１印刷動作制御器
４１ａ記憶器
４２入力設定器
４３駆動制御器
４４送出制御部
４４ｃ駆動指令器
４４ａ張力検出器
４４ｂ比較器
４５布帛送り制御部
４６巻取制御部
４７速度パターン発生器
４８ロードセルアンプ
４９トルク制御器
【０１１４】
Ｍ１送出モータ
Ｍ２巻取モータ
Ｍ３駆動モータ
ｔ１設定時間
ｔ２設定時間
Ｆ荷重
Ｆ’水平方向の荷重
ＣＬ布帛
ＥＮエンコーダ
（Ａ）送出モータ用のサーボドライバ
（Ｂ）駆動モータ用のサーボドライバ
（Ｔ）張力信号
（Ｔａ）平均張力値
（δ）偏差信号
（Ｔ０）目標張力値
（Ｄ）巻径信号
【図１】
2014159131.tif 000003
【図２】
2014159131.tif 000004
【図３】
2014159131.tif 000005
【図４】
2014159131.tif 000006
【図５】
2014159131.tif 000007
【図６】
2014159131.tif 000008
【図７】
2014159131.tif 000009
【図８】
2014159131.tif 000010
【図９】
2014159131.tif 000011